(57)【特許請求の範囲】
【請求項１】
基地局を検索して捕捉し、その捕捉された基地局から取得された近隣基地局リストに基づいて次に捕捉し得る基地局の群を表す候補基地局を決定すると共に、その捕捉された基地局に対して位置登録の要求を行う制御手段を備えた移動通信端末であって、
前記制御手段は、捕捉された基地局に対する位置登録に失敗したときには、基地局に対する位置登録の要求を禁止し、少なくともアイドルハンドオフを可能な待受状態を維持し、アイドルハンドオフに成功したか否かを判定し、アイドルハンドオフに成功したと判定したときに、位置登録の要求の禁止を解除し、そのアイドルハンドオフに成功した基地局に対して位置登録の要求を行うことを特徴とする移動通信端末。
【請求項２】
請求項１記載の移動通信端末において、
前記制御手段は、基地局に対する位置登録の要求を禁止し、発信および着信を可能な待受状態を維持することを特徴とする移動通信端末。
【請求項３】
請求項１または２記載の移動通信端末において、
前記制御手段は、基地局に対する位置登録の要求を禁止してから所定時間が経過したときに、基地局に対する位置登録の要求の禁止を解除し、その捕捉されている基地局に対して位置登録の要求を行うことを特徴とする移動通信端末。
【請求項４】
移動通信端末に、
基地局を検索させて捕捉させる手順と、
その捕捉された基地局から取得された近隣基地局リストに基づいて次に捕捉し得る基地局の群を表す候補基地局を決定させる手順と、
その捕捉された基地局に対して位置登録の要求を行わせる手順と、
その捕捉された基地局に対する位置登録に失敗したと判定されたときに、基地局に対する位置登録の要求を禁止させ、少なくともアイドルハンドオフを可能な待受状態を維持させる手順と、
アイドルハンドオフに成功したか否かを判定させ、アイドルハンドオフに成功したと判定されたときに、位置登録の要求の禁止を解除させる手順と、
そのアイドルハンドオフに成功した基地局に対して位置登録の要求を行わせる手順とを実行させるためのコンピュータプログラム。
【請求項５】
請求項４記載のコンピュータプログラムにおいて、
基地局に対する位置登録の要求を禁止させているときに、発信および着信を可能な待受状態を維持させる手順を実行させるためのコンピュータプログラム。
【請求項６】
請求項４または５記載のコンピュータプログラムにおいて、
基地局に対する位置登録の要求を禁止させてから所定時間が経過したときに、基地局に対する位置登録の要求の禁止を解除させる手順と、
その捕捉されている基地局に対して位置登録の要求を行わせる手順とを実行させるためのコンピュータプログラム。
【発明の詳細な説明】
【０００１】
【発明の属する技術分野】
本発明は、基地局に対して位置登録の要求を行うように構成された例えば携帯電話機などの移動通信端末および前記移動通信端末にて実行されるコンピュータプログラムに関する。
【０００２】
【発明が解決しようとする課題】
近年、移動通信端末の一つとして、符号分割多元接続（ＣＤＭＡ：Code Division Multiple Access ）方式を採用した携帯電話機が供されている。ところで、この種のＣＤＭＡ方式を採用した携帯電話機では、端末自体の位置や周囲環境（例えば地形や建造物の有無など）による影響を受けて、図４に示すように、携帯電話機１が基地局２を捕捉したときに、携帯電話機１が基地局２から送信された信号（下り信号）を適切に受信することができるものの、基地局２が携帯電話機１から送信された信号（上り信号）を適切に受信することができない場合がある。そして、このような場合に、携帯電話機１が基地局２に対して位置登録の要求を行うと、上記したように基地局２が携帯電話機１から送信された上り信号を適切に受信することができないので、基地局２に対する位置登録に失敗することになるが、携帯電話機１が基地局２から送信された下り信号を適切に受信することができるので、基地局２に対する位置登録の要求を継続して行うことになる。
【０００３】
ところが、このように携帯電話機１が基地局２に対する位置登録の要求を長い時間にわたって継続して行ってしまうと、その分、携帯電話機１における消費電力が増大することになるという問題がある。特に、携帯電話機１のように電池駆動の構成を採用しているものでは、消費電力が増大することに伴って、電池の容量が枯渇してしまう虞があり、それによる悪影響は多大なものである。
【０００４】
そこで、特開２００１−１２８２２６号公報には、基地局２に対する位置登録に失敗したときに、送信動作および受信動作を休止することにより、携帯電話機１における消費電力が増大することを未然に回避する構成が開示されている。しかしながら、特開２００１−１２８２２６号公報に開示されているものでは、基地局２に対する位置登録に失敗すると、送信動作および受信動作を休止し、所定の休止時間が経過した後に、位置登録の要求を再度行う構成であるので、電波環境が良好になったことにより、位置登録に成功する可能性が高い状況になったとしても、所定の休止時間が経過するまでの間は、位置登録の要求を再度行うことがなく、実用性に欠けるという問題がある。
【０００５】
本発明は、上記した事情に鑑みてなされたものであり、その目的は、基地局に対する位置登録の要求を長い時間にわたって継続して行うことを未然に回避することにより、消費電力が増大することを未然に回避することができると共に、位置登録に成功する可能性が高い状況になったときに、位置登録を速やかに行うことにより、実用性を高めることができる移動通信端末およびコンピュータプログラムを提供することにある。
【０００６】
【課題を解決するための手段】
請求項１に記載した移動通信端末によれば、制御手段は、基地局を検索して捕捉し、その捕捉された基地局から取得された近隣基地局リストに基づいて次に捕捉し得る基地局の群を表す候補基地局を決定すると共に、その捕捉された基地局に対して位置登録の要求を行う。ここで、制御手段は、捕捉された基地局に対する位置登録に失敗すると、基地局に対する位置登録の要求を禁止する。そして、制御手段は、少なくともアイドルハンドオフを可能な待受状態を維持し、アイドルハンドオフに成功したか否かを判定し、アイドルハンドオフに成功したと判定したときに、位置登録の要求の禁止を解除し、そのアイドルハンドオフに成功した基地局に対して位置登録の要求を行う。
【０００７】
このように、移動通信端末は、基地局に対する位置登録に失敗すると、これ以降、基地局に対する位置登録の要求を禁止するようにしたので、位置登録の要求を行うことがなくなり、基地局に対する位置登録の要求を長い時間にわたって継続して行うことを未然に回避することができ、消費電力が増大することを未然に回避することができる。また、移動通信端末は、少なくともアイドルハンドオフを可能な待受状態を維持し、アイドルハンドオフに成功したか否かを判定し、アイドルハンドオフに成功すると、位置登録の要求の禁止を解除し、そのアイドルハンドオフに成功した基地局に対して位置登録の要求を行うようにしたので、従来のものとは異なって、位置登録の要求を所定の休止時間が経過するまで待機することがなく、位置登録の要求を速やかに再度行うことができ、実用性を高めることができる。
【０００８】
請求項４に記載したコンピュータプログラムによれば、当該コンピュータプログラムを移動通信端末にインストールして実行させると、基地局を検索させて捕捉させる手順と、その捕捉された基地局から取得された近隣基地局リストに基づいて次に捕捉し得る基地局の群を表す候補基地局を決定させる手順と、その捕捉された基地局に対して位置登録の要求を行わせる手順と、その捕捉された基地局に対する位置登録に失敗したと判定されたときに、基地局に対する位置登録の要求を禁止させ、少なくともアイドルハンドオフを可能な待受状態を維持させる手順と、アイドルハンドオフに成功したか否かを判定させ、アイドルハンドオフに成功したと判定されたときに、位置登録の要求の禁止を解除させる手順と、そのアイドルハンドオフに成功した基地局に対して位置登録の要求を行わせる手順とを実行するようになるので、上記した請求項１に記載したものと同様の作用効果を得ることができる。すなわち、基地局に対する位置登録の要求を長い時間にわたって継続して行うことを未然に回避することができ、消費電力が増大することを未然に回避することができ、また、アイドルハンドオフに成功すると、位置登録の要求を所定の休止時間が経過するまで待機することがなく、位置登録の要求を速やかに再度行うことができ、実用性を高めることができる。
【０００９】
請求項３に記載した移動通信端末によれば、制御手段は、基地局に対する位置登録の要求を禁止してから所定時間が経過すると、アイドルハンドオフに成功しなくとも、基地局に対する位置登録の要求の禁止を解除し、その捕捉されている基地局に対して位置登録の要求を行うようにしたので、位置登録の要求を永久的に行わない状況になってしまうことを未然に回避することができる。
【００１０】
請求項４に記載したコンピュータプログラムによれば、当該コンピュータプログラムを移動通信端末にインストールして実行させると、基地局を検索させて捕捉させる手順と、その捕捉された基地局から取得された近隣基地局リストに基づいて次に捕捉し得る基地局の群を表す候補基地局を決定させる手順と、その捕捉された基地局に対して位置登録の要求を行わせる手順と、その捕捉された基地局に対する位置登録に失敗したと判定されたときに、基地局に対する位置登録の要求を禁止させ、少なくともアイドルハンドオフを可能な待受状態を維持させる手順と、アイドルハンドオフに成功したときに、位置登録の要求の禁止を解除させる手順と、そのアイドルハンドオフに成功した基地局に対して位置登録の要求を行わせる手順とを実行するようになるので、上記した請求項１に記載したものと同様の作用効果を得ることができる。すなわち、基地局に対する位置登録の要求を長い時間にわたって継続して行うことを未然に回避することができ、消費電力が増大することを未然に回避することができ、また、アイドルハンドオフに成功すると、位置登録の要求を所定の休止時間が経過するまで待機することがなく、位置登録の要求を速やかに再度行うことができ、実用性を高めることができる。
【００１１】
請求項５に記載したコンピュータプログラムによれば、当該コンピュータプログラムを移動通信端末にインストールして実行させると、基地局に対する位置登録の要求を禁止させているときに、発信および着信を可能な待受状態を維持させる手順を実行するようになるので、上記した請求項２に記載したものと同様の作用効果を得ることができる。すなわち、基地局に対する位置登録に成功すると、発信および着信を可能な待受状態を維持している分、発信および着信を速やかに行うことができる。
【００１２】
請求項６に記載したコンピュータプログラムによれば、当該コンピュータプログラムを移動通信端末にインストールして実行させると、基地局に対する位置登録の要求を禁止させてから所定時間が経過したときに、基地局に対する位置登録の要求の禁止を解除させる手順と、その捕捉されている基地局に対して位置登録の要求を行わせる手順とを実行するようになるので、上記した請求項３に記載したものと同様の作用効果を得ることができる。すなわち、位置登録の要求を永久的に行わない状況になってしまうことを未然に回避することができる。
【００１３】
【発明の実施の形態】
以下、本発明の移動通信端末を携帯電話機に適用した一実施例について、図面を参照して説明する。
図２は、携帯電話機の機能ブロックおよび周辺を概略的に示している。携帯電話機１１は、マイクロコンピュータを主体としてなるＣＰＵ（Central Processing Unit ）１２（本発明でいう制御手段）に、符号分割多元接続（ＣＤＭＡ：Code Division Multiple Access ）方式に準拠した無線処理を行うＣＤＭＡ無線部１３と、マイクロホン１４が入力した音声およびスピーカ１５が出力する音声を音声処理する音声処理部１６と、「通話開始」キー、「通話終了」キー、「０」〜「９」の「数字」キーなどの多数のキーを配列してなるキーパッドからなる操作部１７と、日付・時刻や電話番号などを表示する液晶ディスプレイからなる表示部１８と、ＲＡＭ（Random Access Memory）やＲＯＭ（Read Only Memory）からなる記憶部１９とが接続された構成となっている。
【００１４】
この場合、ＣＰＵ１２は、基地局からＣＤＭＡ無線部１３により近隣基地局リストが受信されて取得されると、その取得された近隣基地局リストに基づいて次に捕捉し得る基地局の群を表す候補基地局を決定し、その決定された候補基地局を記憶部１９に保持させるようになっている。そして、ＣＰＵ１２は、位置登録の要求を行うべきタイミングになると、記憶部１９に保持させている候補基地局からパイロット信号の受信電界強度（パイロット強度）が最も強い基地局を捕捉し、その捕捉された基地局に対して位置登録の要求を行うようになっている。
【００１５】
具体的には、図２に示すように、携帯電話機１の周辺に基地局Ａ〜基地局Ｅが位置し、基地局Ａ〜基地局Ｄを候補基地局として決定しており、これら基地局Ａ〜基地局Ｄのうちの基地局Ｂのパイロット信号の受信電界強度が最も強い場合であれば、そのパイロット信号の受信電界強度が最も強い基地局Ｂを捕捉し、その捕捉された基地局Ｂに対して位置登録の要求を行うようになっている。尚、基地局Ａ〜基地局Ｅは、ＰＮ（Pseudo Noise）オフセットによって、他と識別されるものである。
【００１６】
次に、上記した構成の作用について、図１および図３も参照して説明する。ここで、図１は、ＣＰＵ１２が記憶部１９から読出して実行するコンピュータプログラム（実行プログラム）の手順を概略的に示している。
【００１７】
ＣＰＵ１２は、例えば携帯電話機１１の電源がオンされたときなどの基地局を補足すべきタイミングになると、最初に、基地局を周波数を変更して（切替えて）検索する回数を表すカウンタ値ｍを初期化し（ｍの値を「０」に設定し）（ステップＳ１）、基地局を検索するのに用いる周波数を選択する（ステップＳ２）。そして、ＣＰＵ１２は、基地局に対する位置登録に失敗したときの同一周波数でのリトライ回数を表すカウンタ値ｎを初期化する（ｎの値を「０」に設定する）（ステップＳ３）。
【００１８】
次いで、ＣＰＵ１２は、基地局を検索してパイロット信号の受信電界強度が最も強い（本発明でいう所定条件を満たす）基地局を捕捉し（ステップＳ４）、その捕捉された基地局から近隣基地局リストを受信して取得する（ステップＳ５）。そして、ＣＰＵ１２は、その取得された近隣基地局リストに基づいて次に捕捉し得る基地局の群を表す候補基地局を決定する（ステップＳ６）。
【００１９】
ここで、ＣＰＵ１２は、その決定された候補基地局に最近に位置登録に成功した基地局が存在しているか否かを判定する（ステップＳ７）。そして、ＣＰＵ１２は、その決定された候補基地局に最近に位置登録に成功した基地局が存在していなければ（ステップＳ７にて「ＮＯ」）、その最近に位置登録に成功した基地局を候補基地局に加える（ステップＳ８）。具体的に説明すると、ＣＰＵ１２は、図３（ａ）に示すように、基地局Ａ〜基地局Ｄが候補基地局であって、最近に位置登録に成功した基地局が基地局Ａ〜基地局Ｄとは別の基地局Ｅである場合であれば、最近に位置登録に成功した基地局が候補基地局に存在していないので、図３（ｂ）に示すように、その最近に位置登録に成功した基地局である基地局Ｅを候補基地局に加える。
【００２０】
次いで、ＣＰＵ１２は、待受状態に移行し（ステップＳ９）、位置登録の要求を開始すべき条件が成立したか否かを判定する（ステップＳ１０）。そして、ＣＰＵ１２は、位置登録の要求を開始すべき条件が成立すると（ステップＳ１０にて「ＹＥＳ」）、先に捕捉された基地局に対して位置登録の要求を行う（ステップＳ１１）。そして、ＣＰＵ１２は、基地局に対する位置登録に成功したか失敗したかを判定する（ステップＳ１２）。
【００２１】
ここで、ＣＰＵ１２は、位置登録に成功すれば（ステップＳ１２にて「ＹＥＳ」）、先に説明したカウンタ値ｍを初期化し（ステップＳ１３）、先に説明したカウンタ値ｎを初期化し（ステップＳ１４）、上記したステップＳ９に戻り、ステップＳ９以降を実行する。
【００２２】
これに対して、ＣＰＵ１２は、位置登録に失敗すれば（ステップＳ１２にて  「ＮＯ」）、先に説明したカウンタ値ｎをインクリメントし（ステップＳ１５）、インクリメントされたカウンタ値ｎと所定値Ｎとを比較する（ステップＳ１６）。尚、このとき、所定値Ｎは、システムの運用形態に合わせて最適な値が自動的に設定されるものであっても良く、また、ユーザにより任意に設定されるものであっても良い。
【００２３】
ＣＰＵ１２は、カウンタ値ｎが所定値Ｎ以下であれば（ステップＳ１６にて  「ＹＥＳ」）、位置登録に失敗した基地局を候補基地局から外し（ステップＳ１７）、その位置登録に失敗した基地局が外された候補基地局のうちからパイロット信号の受信電界強度が最も強い基地局を捕捉する（ステップＳ１８）。そして、ＣＰＵ１２は、ステップＳ５に戻り、ステップＳ５以降を実行する。
【００２４】
具体的に説明すると、ＣＰＵ１２は、位置登録に失敗した基地局が基地局Ｂである場合であれば、図３（ｃ）に示すように、位置登録に失敗した基地局Ｂを候補基地局から外す。そして、ＣＰＵ１２は、その位置登録に失敗した基地局Ｂが外された候補基地局のうちからパイロット信号の受信電界強度が最も強い基地局である基地局Ｅを捕捉し、その捕捉された基地局Ｅに対して位置登録の要求を行う。
【００２５】
一方、ＣＰＵ１２は、カウンタ値ｎが所定値Ｎ以下でなければ（ステップＳ１６にて「ＮＯ」）、先に説明したカウンタ値ｍをインクリメントし（ステップＳ１９）、インクリメントされたカウンタ値ｍと所定値Ｍとを比較する（ステップＳ２０）。尚、このとき、所定値Ｍは、システムの運用形態に合わせて自動的に設定されるものである。
【００２６】
ＣＰＵ１２は、カウンタ値ｍが所定値Ｍ以下であれば（ステップＳ２０にて  「ＹＥＳ」）、基地局を検索するのに用いる周波数を変更し（切替え）（ステップＳ２１）、上記したステップＳ３に戻り、ステップＳ３以降を実行する。一方、ＣＰＵ１２は、カウンタ値ｍが所定値Ｍ以下でなければ（ステップＳ２０にて「ＮＯ」）、位置登録の要求を禁止し（ステップＳ２２）、アイドルハンドオフ、発信および着信を可能な待受状態を維持し（ステップＳ２３）、所定時間Ｔの計時を開始する（ステップＳ２４）。尚、このとき、所定時間Ｔは、システムの運用形態に合わせて最適な値が自動的に設定されるものであっても良く、また、ユーザにより任意に設定されるものであっても良い。
【００２７】
ＣＰＵ１２は、所定時間Ｔの計時を開始した以降では、アイドルハンドオフに成功したか否かを監視し（ステップＳ２５）、基地局からのパイロット信号の受信電界強度が所定レベルを越えたか否かを監視し（ステップＳ２６）、所定時間Ｔの計時を終了したか否かを監視する（ステップＳ２７）。そして、ＣＰＵ１２は、アイドルハンドオフに成功すると（ステップＳ２５にて「ＹＥＳ」）、または、基地局からのパイロット信号の受信電界強度が所定レベルを越えると（ステップＳ２６にて「ＹＥＳ」）、または、所定時間Ｔの計時を終了すると（ステップＳ２７にて「ＹＥＳ」）、位置登録の要求の禁止を解除し（ステップＳ２８）、先に説明したカウンタ値ｍを初期化し（ステップＳ２９）、先に説明したカウンタ値ｎを初期化し（ステップＳ３０）、上記したステップＳ５に戻り、ステップＳ５以降を実行する。
【００２８】
ところで、以上は、最近に位置登録に成功した基地局を候補基地局に加える処理（ステップＳ８の処理）と、位置登録に失敗した基地局を候補基地局から外す処理（ステップＳ１７の処理）との双方を行う場合を説明したものであるが、必ずしも、これらの処理の双方を行う必要はなく、いずれか一方のみを行っても良い。
【００２９】
以上に説明したように本実施例によれば、携帯電話機１１において、基地局に対する位置登録の要求を行い、基地局に対する位置登録に失敗すると、これ以降、基地局に対する位置登録の要求を禁止するようにしたので、位置登録の要求を行うことがなくなり、基地局に対する位置登録の要求を長い時間にわたって継続して行うことを未然に回避することができ、消費電力が増大することを未然に回避することができる。また、アイドルハンドオフを可能な待受状態を維持し、アイドルハンドオフに成功すると、位置登録の要求の禁止を解除し、そのアイドルハンドオフに成功した基地局に対して位置登録の要求を行うようにしたので、従来のものとは異なって、位置登録の要求を所定の休止時間が経過するまで待機することがなく、位置登録の要求を速やかに再度行うことができ、実用性を高めることができる。
【００３０】
また、携帯電話機１１において、基地局に対する位置登録の要求を禁止しているときに、発信および着信を可能な待受状態を維持するようにしたので、基地局に対する位置登録に成功すると、発信および着信を可能な待受状態を維持している分、発信および着信を速やかに行うことができる。
【００３１】
さらに、携帯電話機１１において、基地局に対する位置登録の要求を禁止してから所定時間Ｔが経過すると、アイドルハンドオフに成功しなくとも、基地局に対する位置登録の要求の禁止を解除し、その捕捉されている基地局に対して位置登録の要求を行うようにしたので、位置登録の要求を永久的に行わない状況になってしまうことを未然に回避することができる。
【００３２】
本発明は、上記した実施例にのみ限定されるものでなく、次のように変形または拡張することができる。
移動通信端末は、ＣＤＭＡ方式を採用した携帯電話機に限らず、ＣＤＭＡ方式を採用した通信機能を有する携帯情報端末などの他の端末であって良い。
【００３３】
ＣＰＵが実行するコンピュータプログラムは、携帯電話機に最初から搭載されていることに限らず、サーバやメモリカードなどの外部から必要に応じてダウンロードされてインストールされるものであっても良い。
【図面の簡単な説明】
【図１】本発明の一実施例を示すフローチャート
【図２】携帯電話機の機能ブロックおよび周辺を概略的に示す図
【図３】候補基地局の遷移を示す図
【図４】基地局と携帯電話機との間で送受信される信号を概略的に示す図
【符号の説明】
図面中、１１は携帯電話機（移動通信端末）、１２はＣＰＵ（制御手段）である。
【図１】
0003780919.tif 000002
【図２】
0003780919.tif 000003
【図３】
0003780919.tif 000004
【図４】
0003780919.tif 000005